(57)【要約】【課題】上階からの騒音が天井下地材を介して壁パネルに伝わることを防止して騒音の発生を防止する。【解決手段】壁パネル１の上端面に嵌込溝６を形成する。嵌込溝６内に上向きに開口する溝形の緩衝材７を嵌め込む。緩衝材７内に連結用部材８を嵌め込む。連結用部材８の上部を壁パネル１よりも上方に突出する。連結用部材８の上面に天井下地材２の下面を当接する。天井下地材２の下面と壁パネル１の上端面との間に隙間１１を形成する。天井下地材２にビス又は釘からなる固着具１０を挿入する。固着具１０の先端側を連結用部材８にのみ固着する。【選択図】図１
2008031737.tif 000002
【特許請求の範囲】
【請求項１】
壁パネルの上端面に嵌込溝を形成し、該嵌込溝内に上向きに開口する溝形の緩衝材を嵌め込み、該緩衝材内に連結用部材を嵌め込むと共に該連結用部材の上部を壁パネルよりも上方に突出し、連結用部材の上面に天井下地材の下面を当接すると共に該天井下地材の下面と壁パネルの上端面との間に隙間を形成し、前記天井下地材にビス又は釘からなる固着具を挿入して、該固着具の先端側を連結用部材にのみ固着して成ることを特徴とする壁パネルと天井下地材の連結構造。
【発明の詳細な説明】
【技術分野】
【０００１】
本発明は壁パネルと天井下地材の連結構造に関する。
【背景技術】
【０００２】
従来の壁パネルと天井下地材の連結構造では、図４及び図５に示すように、間仕切壁を構成する壁パネル１の上端面に天井下地材２としての野縁３の下面を当接し、該壁パネル１と野縁３とを固着具１０で連結している。壁パネル１はパネル枠４の両面に壁材５を取付けることで形成され、パネル枠４の上枠材４ａの上端部は両壁材５よりもやや上方に突出している。上枠材４ａの上面には野縁３の下面を当接してあり、この上枠材４ａと野縁３をビスのような固着具１０で固着している。
【０００３】
また図６では、上階の梁１４に取付けた連結具１３の両側に野縁３の長手方向の端部を差込み、この野縁３と連結具１３とで天井下地材２を構成している。壁パネル１は図４と同様のものであり、該壁パネル１の上枠材４ａの上面に連結具１３の下面を当接し、この上枠材４ａと連結具１３の下面部を固着具１０で固着している。
【０００４】
また特許文献１には図４の例と同様に、野縁と壁パネルをビスのような固着具で連結した連結構造が開示してある。
【０００５】
しかし上記いずれの例においても、天井下地材２を固着具１０により壁パネル１の上端部に直接固着しているので、上階の床の振動が天井下地材２及び固着具１０を介して壁パネル１に直接伝わり、壁パネル１から騒音が発生する恐れがある。
【特許文献１】特開２００１−２７１４４４号公報
【発明の開示】
【発明が解決しようとする課題】
【０００６】
本発明は上記従来の問題点に鑑みて発明したものであって、上階からの騒音が天井下地材を介して壁パネルに伝わることを防止して騒音の発生を防止できる壁パネルと天井下地材の連結構造を提供することを課題とするものである。
【課題を解決するための手段】
【０００７】
上記課題を解決するために本発明に係る壁パネルと天井下地材の連結構造は、壁パネル１の上端面に嵌込溝６を形成し、該嵌込溝６内に上向きに開口する溝形の緩衝材７を嵌め込み、該緩衝材７内に連結用部材８を嵌め込むと共に該連結用部材８の上部を壁パネル１よりも上方に突出し、連結用部材８の上面に天井下地材２の下面を当接すると共に該天井下地材２の下面と壁パネル１の上端面との間に隙間１１を形成し、前記天井下地材２にビス又は釘からなる固着具１０を挿入して、該固着具１０の先端側を連結用部材８にのみ固着して成ることを特徴とする。
【０００８】
このように天井下地材２に挿入した固着具１０の先端側を壁パネル１の嵌込溝６に緩衝材７を介して嵌め込んだ連結用部材８にのみ固着して天井下地材２と壁パネル１を連結することで、上階からの騒音が天井下地材２を介して壁パネル１に伝わり難くなる。
【発明の効果】
【０００９】
本発明では、天井下地材に挿入した固着具の先端側を壁パネルの嵌込溝に緩衝材を介して嵌め込んだ連結用部材にのみ固着して天井下地材と壁パネルを連結することで、上階からの騒音が天井下地材を介して壁パネルに伝わり難くなり、これにより騒音の発生を防止できる。
【発明を実施するための最良の形態】
【００１０】
図１及び図２は本例の壁パネルと天井下地材の連結構造を示すものであり、天井下地材２を構成する野縁３に壁パネル１を連結している。
【００１１】
野縁３は断面ロ字状の長尺な鋼管からなり、図示は省略するが上階の床梁からなる梁間に架設されている。
【００１２】
壁パネル１は図示しない床上に立設されて隣接する部屋を仕切る間仕切壁を構成し、木製の角材を矩形状に枠組みしてなるパネル枠４と、パネル枠４の両面に貼着した内装材からなる壁材５を備えている。
【００１３】
パネル枠４の上枠材４ａは両壁材５の上端よりも下方に控えて位置し、これにより壁パネル１の上端面の中央部には壁パネル１の幅方向の全長に亘って嵌込溝６が形成されている。つまり本例では上方に開口する断面凹状の嵌込溝６の底面部を上枠材４ａで構成し、また同嵌込溝６の側面部を上枠材４ａよりも上方に突出した各壁材５の上端部で構成している。嵌込溝６にはブチルゴムのような弾性材料で形成された断面コ字溝状の緩衝材７を全長に亘って嵌め込んであり、この緩衝材７は嵌込溝６の内面に両面テープで貼着してある。
【００１４】
緩衝材７の内側には長尺な木製角材からなる連結用部材８を緩衝材７の長手方向の全長に亘って圧入して嵌め込んであり、連結用部材８の両側面及び下面は前記上向きに開口したコ字状の緩衝材７の両側面片７ａ及び底面片７ｂの夫々に当接している。連結用部材８の上下寸法は嵌込溝６の溝深さよりも長く、連結用部材８の上部は壁パネル１の壁材５の上端よりも上方に突出している。また連結用部材８の上面は緩衝材７の両側面片７ａの上端面と略面一であり、野縁３の下面が当接される当接面９となっている。
【００１５】
上記壁パネル１と該壁パネル１に平面視で垂直な野縁３を連結するには、緩衝材７を介して嵌込溝６内に固定された連結用部材８の当接面９に野縁３の下面を当接し、この状態で野縁３の上面側からビスのような固着具１０を挿通して、該固着具１０の先端側を連結用部材８に固着する。なおこの固着具１０の先端は連結用部材８の底部にまでは至っているが緩衝材７には至っておらず、つまり固着具１０の先端側は連結用部材８にのみ固着される。またこの連結状態では壁パネル１の各壁材５の上端面と野縁３の下面との間に隙間１１が形成され、壁パネル１は野縁３に直接接触しない状態となる。そしてこの後、野縁３の下面には天井材が設けられ、天井が形成される。
【００１６】
このように本例の壁パネル１と天井下地材２の連結構造では、壁パネル１の上端面に形成した嵌込溝６に緩衝材７を介して連結用部材８を嵌め込み、このように緩衝材７に嵌め込むだけで取付けた連結用部材８にのみ野縁３側から挿入した固着具１０の先端側を固着するので、野縁３に固着された連結用部材８と壁パネル１は直接接触せずこの間には緩衝材７が介在する。またこの場合、壁パネル１の上端と野縁３の下面とも直接接触せずこの間に隙間１１が形成される。従って上階からの騒音が野縁３を介して壁パネル１に伝わり難くなり、壁パネル１から騒音が発生することを防止できる。
【００１７】
次に上記とは異なる例を以下に示す。なお図１の例と同一の構成については同一の番号を付与し、重複する説明は省略する。
【００１８】
図３は本例の壁パネルと天井下地材の連結構造を示すものであり、天井下地材２を構成する連結具１３に壁パネル１を連結している。
【００１９】
連結具１３は、上階の床梁からなる梁１４に取付けた取付部材１５と、壁パネル１上にビスのような固着具１０により取付けた平板状の取付プレート１６と、取付部材１５の両側に配置される野縁ランナー１７とを備え、各野縁ランナー１７は取付プレート１６及び取付部材１５にビスのような固着具１８で接続してある。なお取付部材１５、野縁ランナー１７、取付プレート１６は全て金属製である。
【００２０】
取付部材１５は梁１４と比較して短尺であり、断面コ字状の本体部１９で主体を構成している。本体部１９の両側片１９ａの先端部には上下方向に離間した上横片部２１及び下横片部２２を対向する側片１９ａに向けて突出してあり、各側片１９ａにおける上横片部２１と下横片部２２は取付部材１５の長さ方向（図３のように梁１４に取付けた状態で梁１４の長手方向と平行となる方向）にずれ、また上横片部２１同士及び下横片部２２同士の夫々も取付部材１５の長さ方向にずれている。
【００２１】
取付部材１５は上横片部２１間にＨ型鋼からなる梁１４の下フランジ部１４ａを通し、この後、取付部材１５を平面視で回動させることで、図３のように梁１４の下フランジ部１４ａの両側が上横片部２１及び下横片部２２間に嵌め込まれて梁１４に取付けられる。なお図３では梁１４の下フランジ部１４ａの上面と各上横片部２１の下面との間及び下フランジ部１４ａの下面と各下横片部２２の上面との間に弾性を有する防振材２３を介在させ、この防振材２３により梁１４からの音が直接取付部材１５に伝わることを防止している。
【００２２】
各野縁ランナー１７は、上下の横片部１７ａと、上下の横片部１７ａの端部同士を連結する縦片部１７ｂとで構成され、側方に向けて開口する断面コ字状をしている。各野縁ランナー１７の上の横片部１７ａの先端部は野縁ランナー１７の端部を挿入しやすくするために斜め上方に向けて折り曲げている。各野縁ランナー１７の内側からはビスのような固着具１８を縦片部１７ｂに挿通して取付部材１５の側片１９ａの下部に固着してあり、これにより各野縁ランナー１７と取付部材１５は連結されている。この断面コ字状の各野縁ランナー１７内には平面視で壁パネル１に垂直となる野縁３の長手方向の端部が嵌め込まれ、これにより各野縁３は梁１４間に架設される。
【００２３】
取付プレート１６の下面の中央部は壁パネル１の嵌込溝６に緩衝材７を介して嵌め込んだ連結用部材８の当接面９に当接し、この状態で取付プレート１６の上側から挿通したビスのような固着具１０の先端側を連結用部材８に固着することで壁パネル１に固定される。これにより壁パネル１の各壁材５の上端面と連結具１３の取付プレート１６の下面との間に隙間１１が形成され、壁パネル１は連結具１３に直接接触しない状態となる。なお取付プレート１６の上面と取付部材１５の下面との間には隙間が形成される。
【００２４】
また各野縁ランナー１７の下面（下側の横片の下面）は取付プレート１６の上面の両側に当接し、ビスのような固着具１８を取付プレート１６の下側から取付プレート１６及び各野縁ランナー１７の下の横片部１７ａを挿通して野縁３に固着される。これにより各野縁ランナー１７及び取付プレート１６が野縁３に連結されると共に、各野縁ランナー１７と取付プレート１６が連結される。なお野縁ランナー１７と取付プレート１６の連結はこれに限られず、例えば野縁ランナー１７と野縁３を連結する固着具１８とは別の固着具で連結したり、また野縁ランナー１７と取付プレート１６を溶接等により接続して一体に形成しても良い。
【００２５】
本例の壁パネル１と天井下地材２の連結構造では、壁パネル１の上端面に形成した嵌込溝６に緩衝材７を介して連結用部材８を嵌め込み、この連結用部材８にのみ連結具１３の取付プレート１６側から挿入した固着具１０の先端側を固着したので、連結具１３の取付プレート１６に固着された連結用部材８と壁パネル１は直接接触せず、この間には緩衝材７が介在する。またこの場合、壁パネル１の上端と連結具１３の取付プレート１６の下面は直接接触せずこの間に隙間１１が形成される。従って上階からの騒音が連結具１３を介して壁パネル１に伝わり難く、これにより壁パネル１から騒音が発生することを防止できる。
【００２６】
なお上記のいずれの例でも野縁３を鋼管で構成したが、木材で構成しても良い。また固着具１０はビスではなく釘でも良い。
【図面の簡単な説明】
【００２７】
【図１】本発明の実施の形態の一例の連結構造を示す断面図である。
【図２】同上の壁パネルに嵌め込んだ連結用部材と野縁を固着具で固着する前の状態を示す斜視図である。
【図３】他例の連結構造を示す断面図である。
【図４】従来の連結構造を示し、壁パネルと野縁を固着具で固着する前の状態を示す斜視図である。
【図５】同上の断面図である。
【図６】他の従来の連結構造を示す断面図である。
【符号の説明】
【００２８】
１  壁パネル
２  天井下地材
６  嵌込溝
７  緩衝材
８  連結用部材
１０  固着具
１１  隙間
【図１】
2008031737.tif 000003
【図２】
2008031737.tif 000004
【図３】
2008031737.tif 000005
【図４】
2008031737.tif 000006
【図５】
2008031737.tif 000007
【図６】
2008031737.tif 000008